(57)【要約】      （修正有）【課題】標示体に施された模様に干渉縞が発生し得る新規なディスプレイ装置を提供する。【解決手段】標示体２の背面側に配された人工の光源３によって照明されるディスプレイ装置１において、透光性を有する基板２１の表面又は背面に、１０〜５００メッシュの網目模様を有する複数枚のメッシュシート２２を、互いの一部又は全部が重なり合うようにして配置し、もって、前記光源３によって照明された際に、前記メッシュシート２２の重なり部分に干渉縞が生じるようにする。【選択図】図１
0003180875.tif 000002
【実用新案登録請求の範囲】
【請求項１】
標示体の背面側に配された人工の光源によって照明されるディスプレイ装置であって、
前記標示体が、
透光性を有する基板と、
１０〜５００メッシュの網目模様を有する複数枚のメッシュシートと、
を具備してなり、
前記基板の表面又は背面に貼付された一のメッシュシートの一部又は全面に対し、他のメッシュシートが、その一部又は全面を重ねた状態にて配置されることによって、
前記光源によって照明された際に、一のメッシュシートと他のメッシュシートとの重なり部分に干渉縞が生じるようになされたことを特徴とするディスプレイ装置。
【請求項２】
請求項１に記載のディスプレイ装置において、
前記メッシュシートが、線径０．０２５〜０．９ｍｍのステンレス線を素材として作成された織物であるディスプレイ装置。
【請求項３】
請求項１又は２に記載のディスプレイ装置において、
一のメッシュシートと他のメッシュシートとの間に、厚さ０．５〜５０ｍｍの透光性を有するスペーサーが介在されてなるディスプレイ装置。
【考案の詳細な説明】
【技術分野】
【０００１】
本考案は、標示体の背面側に配された人工の光源によって照明されるディスプレイ装置に関する。
【背景技術】
【０００２】
標示体の背面側に配された人工の光源によって照明されるディスプレイ装置は、特に、夜間や暗所におけるアピール性が際立って優れることから、屋外においては看板や照明広告、家屋内においてはインテリアや置物、携帯端末等の機器においては照明サインなど、現在、多岐の分野にわたって広く利用されている。
【０００３】
このディスプレイ装置としては、ガラス、アクリル樹脂、塩化ビニル樹脂などの透明或いは半透明の透光性を有する基板の表面又は背面に対し、文字や図形などの模様を塗料にて描いたり、フィルムやシートを貼付したりして標示体を作成し、前記標示体の背面側に配された人工の光源（例えば、蛍光灯やネオン管、発光ダイオード、或いは有機ＥＬ等の発光設備）にて照明することによって、前記模様を際立たせる仕組みとなされたものが一般的である（例えば、下記特許文献１参照。）。
【先行技術文献】
【特許文献】
【０００４】
【特許文献１】実開平６‐６９９８６号公報
【考案の概要】
【考案が解決しようとする課題】
【０００５】
この種のディスプレイ装置においては、より一層のアピール性を獲得すべく、前記光源を点滅させたり、前記光源から照射される光の色彩や照度を経時的に変化させたりする技術的手段が講じられたものも開発されている。
【０００６】
しかしながら、前記ディスプレイ装置につき、前記光源を点滅させたり、光の色や照度を経時的に変化させたりしたとしても、標示体における背景となる部分（模様以外の部分）に変化が生じるだけであり、標示体に施された模様に特別な視覚的効果を付与するものではない。
【０００７】
本考案は、前記技術的課題に鑑みて完成されたものであり、標示体に施された模様に干渉縞が発生し得る新規なディスプレイ装置を提供することを目的とする。
【課題を解決するための手段】
【０００８】
前記技術的課題を解決するために、本考案のディスプレイ装置は、標示体の背面側に配された人工の光源によって照明されるディスプレイ装置であって、前記標示体が、透光性を有する基板と、１０〜５００メッシュの網目模様を有する複数枚のメッシュシートと、を具備してなり、前記基板の表面又は背面に貼付された一のメッシュシートの一部又は全面に対し、他のメッシュシートが、その一部又は全面を重ねた状態にて配置されることによって、前記光源によって照明された際に、一のメッシュシートと他のメッシュシートとの重なり部分に干渉縞が生じるようになされたことを特徴とする（以下、「本考案装置」と称する。）。
【０００９】
本考案装置においては、一のメッシュシートと他のメッシュシートとの間に、厚さ０．５〜５０ｍｍの透光性を有するスペーサーが介在されてなるものが好ましい態様となる。
【００１０】
本考案装置においては、前記メッシュシートが、線径０．０２５〜０．９ｍｍのステンレス線を素材として作成された織物であるものが好ましい態様となる。
【考案の効果】
【００１１】
本考案装置によれば、標示体に施された模様に干渉縞を生じさせることができる。
【図面の簡単な説明】
【００１２】
【図１】図１は、本発明装置の一実施形態を示す分解斜視図である。
【図２】図２（ａ）は、前記本発明装置を示す斜視図であり、図２（ｂ）は、前記本発明装置における標示体及び光源の位置関係を示す模式図である。
【図３】図３（ａ）は、メッシュサイズが等しいメッシュシートを重ねた際に生じる干渉縞の一例を示す平面図であり、図３（ｂ）は、メッシュサイズが異なるメッシュシートを重ねた際に生じる干渉縞の一例を示す平面図である。
【図４】図４（ａ）は、本発明装置の他の実施形態を示す斜視図であり、図４（ｂ）は、前記本発明装置における標示体及び光源の位置関係を示す模式図である。
【図５】図５（ａ）は、更に他の実施形態に係る本発明装置における標示体を示す分解斜視図であり、図４（ｂ）は、前記本発明装置における標示体及び光源の位置関係を示す模式図である。
【考案を実施するための形態】
【００１３】
以下、本考案の実施形態を図面に基づいて説明するが、本考案はこの実施形態に限定されるものではない。
【００１４】
図１に、本考案装置１の一実施形態を示す。この本考案装置１は、標示体２の背面側に配された人工の光源３によって照明されるものである。
【００１５】
前記標示体２は、基板２１と、複数枚のメッシュシート２２とを具備する。前記基板２１は、透明なアクリル製の板状体（厚さ５ｍｍ）である。前記メッシュシート２２は、線径０．０６ｍｍのステンレスワイヤを平織りして作成された種々のメッシュサイズを有する織物（厚さ０．１２ｍｍ、５０〜２００メッシュ）を円形にカットしたものである。
【００１６】
図２（ａ）に示すように、前記標示体２は、前記基板２１の背面に対し、複数枚のメッシュシート２２を、互いの一部が重なり合うようにして貼付（水性のりによる接着）したものであり、図２（ｂ）に示すように、一のメッシュシート２２（２２Ａ）と他のメッシュシート２２（２２Ｂ）とは、互いに重なり合う重なり部分１０を共有する。
【００１７】
前記光源３は、箱体３１内に列をなす様に配列された複数の支持板３２に配列された複数の発光ダイオード（ＬＥＤ）３３の発光により光を照射するものである。更に詳しくは、前記発光ダイオード３３は、赤、燈、黄、緑、水色、群青、紫、白の八色を基準色にして、単色表示したり、経時的に色調変化表示したりすることができる可変調色ＬＥＤであり、図示しないＡＣ１００Ｖの外部電源の供給を受けて発光する仕組みとなっている。
【００１８】
本考案装置は、枠体４にて前記標示体２の表面側を露出させた状態にて支持し、更に、前記標示体２の背面側から前記光源３における前記箱体３１にて前記枠体４を閉じることによって組み立てられる（図１参照）。
【００１９】
図２（ｂ）に示すように、前記構成を有する本考案装置１において、前記光源３を発光させると、前記光源３から照射された光は、前記標示体２を背面側から表面側に向かって通過する。前記標示体２における前記メッシュシート２２が配置されていない部分は、透明な基板２１のみであることから、光源から照射された光は、ほぼ１００％通過する。
【００２０】
一方、前記標示体２における前記メッシュシート２２が配置されている部分については、前記メッシュシート２２の網目模様を通過した光のみが前記標示体２の表面に到達する。即ち、光源から照射された光が、前記メッシュシート２２によってその一部の通過が遮られることにより、前記標示体２において前記メッシュシート２２の存する部分に模様が生じる。
【００２１】
この際、一のメッシュシート２２（２２Ａ）と他のメッシュシート２２（２２Ｂ）とが重なり合う重なり部分１０においては、図３に示すような縞模様が生じる。この縞模様は、規則正しい繰り返し模様を複数重ね合わせたときに、各繰り返し模様の周期のずれに起因して視覚的に発生する干渉縞（モアレ）である。更に詳しくは、図３（ａ）は、同じメッシュサイズの網目模様を有するメッシュシート２２同士を、網目模様の方向をずらした状態にて重ねた際に生じる干渉縞であり、図３（ｂ）は、異なるメッシュサイズの網目模様を有するメッシュシート２２同士を重ねた際に生じる干渉縞である。
【００２２】
即ち、この干渉縞は、一のメッシュシート２２（２２Ａ）と他のメッシュシート２２（２２Ｂ）とが重なり合う重なり部分１０においてのみ生じる模様であり、見る者に対し、立体的に飛び出してくるような視覚効果を与えるものであることから、係る干渉縞を生じ得る本発明装置１は、従来のディスプレイ装置では奏し得ない独特のアピール性が付与されたものとなる。
【００２３】
なお、本実施形態においては、前記メッシュシート２２として、０．０６ｍｍの線径を有するステンレスワイヤを平織りして作成された織物を用いたが、前記メッシュシート２２としては、必ずしもステンレスワイヤからなる織物に限られない。前記メッシュシート２２としては、樹脂繊維性の織物を用いても良い。又、前記メッシュシート２２としては、単層構造のものに限られず、網目模様を有する織物の片面又は両面に高分子フィルムなどが積層された多層構造のものを用いても良い。更に、前記メッシュシート２２としては、透光性を有するシートやフィルムに対して網目模様を印刷したものを用いても良い。即ち、本発明において「メッシュシート」とは、網目模様を有するシート状部材を意味し、網目が貫通しているか否かは問題とされない。
【００２４】
但し、前記メッシュシート２２としてステンレスワイヤからなる織物を用いると、前記光源３によって照明される模様に金属光沢を付与することができ、高級感やシャープな感じが増す。これより、本考案においては、前記メッシュシート２２として、ステンレスワイヤからなる織物を用いることが好ましい。前記ステンレスワイヤの線径については特に限定されるものではないが、前記メッシュシートの強度や厚みに鑑みて、０．０２５〜０．９ｍｍ（より好ましくは０．０５から０．２ｍｍ）の線径を有するものを用いることが好ましい。なお、前記ステンレスワイヤからなる織物は、例えば、平織りであっても綾織であっても良い。
【００２５】
又、本実施形態においては、前記メッシュシート２２として、厚さ０．１２ｍｍのものを用いたが、前記メッシュシート２２の厚みについては特に限定されるものではない。但し、前記メッシュシート２２に一定の厚み（例えば、０．０５ｍｍ以上（好ましくは、０．１ｍｍ〜０．５ｍｍ））があると、前記重なり部分１０に生じる干渉縞に対し、見る角度によって変化する視覚効果を付与することができ、より一層アピール性が向上されることが確認されている。
【００２６】
更に、本実施形態においては、前記メッシュシート２２として、１５０メッシュの網目模様を有するものを用いたが、１０〜５００メッシュの網目模様を有するものを用いれば、前記重なり部分１０において、前述の干渉縞が生じ得ることが確認されている。これより、本考案においては、前記メッシュシート２２として、１０〜５００メッシュ（好ましくは、１００〜３００メッシュ）の網目模様を有するものを用いることが好ましい。
【００２７】
加えて、本実施形態においては、前記メッシュシート２２として円形にカットされたものを用いたが、前記メッシュシート２２の形状としては特に限定されるものではなく、例えば、三角形、四角形、楕円等の種々の形状にカットされたものや、平仮名、片仮名、漢字、或いはアルファベットのような文字を示す形状にカットしたものなど、種々の形状のものを適宜選択することができる。
【００２８】
ところで、本実施形態においては、前記基板２１につき、透明なアクリル樹脂からなる板状体を用いたが、前記基板２１としては、透光性を有するもの、即ち、前記光源３から照射される光（可視光線）の一部ないし全部（好ましくは６０％以上（より好ましくは８０％以上、更に好ましくは、９５％以上））が透過し得るものであれば、その形状や素材につき、特に限定されるものではない。前記基板２１の形状としては、平坦な板状体の他、湾曲した板状体であっても良い。前記基板２１の素材としては、例えば、アクリル樹脂のほか、塩ビ系の樹脂、或いはガラスを用いることが好ましい。
【００２９】
又、本実施形態においては、前記メッシュシート２２を配置するにあたり、一のメッシュシート２２（２２Ａ）の一部に、他のメッシュシート２２（２２Ｂ）の一部を重ねるようにして配置しているが、図４（ａ）、（ｂ）に示すように、一のメッシュシート２２（２２Ａ）を前記基板２１の片面（背面又は表面）の実質的全面（標示体２における主たる表示部分全面を意味する。）に貼付し、その上から、他のメッシュシート２２（２２Ｂ）を重ねるようにして配置しても良い。このようにすると、他のメッシュシート２２（２２Ｂ）の形状全体に干渉縞を生じさせることができ、他のメッシュシート２２（２２Ｂ）の形状を特にアピールしたい場合に有効となる。なお、ある形状を有する一のメッシュシート２２（２２Ａ）を前記基板２１の片面（背面又は表面）に貼付した上から、他のメッシュシート２２（２２Ｂ）を前記基板２１の片面（背面又は表面）の実質的全面に貼付しても、同様の効果が得られることは言うまでもない。
【００３０】
なお、前記基板２１の片面（背面又は表面）に対し、前記メッシュシート２２を配置するにあたり、図４（ｂ）に示すように、前記メッシュシート２２を、前記基板２１と、前記基板２１とは別体の透光性を有する裏当て板２３との間に挟み込めば、前記メッシュシート２２においてしわやずれが生じにくくなる利点が生じる。
【００３１】
又、本実施形態においては、前記基板２１の背面側に前記メッシュシート２２を配置しているが、前記基板の表面側に前記メッシュシート２２を貼付しても良いし、一のメッシュシート２２（２２Ａ）を前記基板２１の背面側（又は表面側）に配置する一方で、他のメッシュシート２２（２２Ｂ）を前記基板２１の表面側（又は背面側）に配置しても良い。
【００３２】
即ち、本考案において、「前記基板の表面又は背面に貼付された一のメッシュシートの一部又は全面に対し、他のメッシュシートが、その一部又は全面が重なる位置に配置される」状態とは、一のメッシュシート２２（２２Ａ）と他のメッシュシート２２（２２Ｂ）とが接触した状態のみを意味するのではなく、一のメッシュシート２２（２２Ａ）と他のメッシュシート２２（２２Ｂ）との間に前記基板２１が介在されている状態も含まれる。
【００３３】
又、本考案において、「前記基板の表面又は背面に貼付された一のメッシュシートの一部又は全面に対し、他のメッシュシートが、その一部又は全面が重なる位置に配置される」状態には、図５（ａ）、（ｂ）に示すような、一のメッシュシート２２（２２Ａ）と他のメッシュシート２２（２２Ｂ）との間に、前記基板２１とは別体の透光性を有するスペーサー２４を介在させた状態も含まれる。
【００３４】
このように、一のメッシュシート２２（２２Ａ）と他のメッシュシート２２（２２Ｂ）との間に前記スペーサー２４を介在させると、一のメッシュシート２２（２２Ａ）と他のメッシュシート２２（２２Ｂ）とが共有する重なり部分１０において生じる干渉縞の揺れ幅が大きくなり、より一層、見る人に対するアピール性が高められる。前記スペーサーの厚さについては、０．５〜５０ｍｍ（より好ましくは、１〜１０ｍｍ）の範囲内とすることが好ましい。
【００３５】
本実施形態においては、前記光源３としてＬＥＤの発光を利用しているが、前記光源３としては、蛍光灯やネオン管、或いは有機ＥＬなどの人工の発光設備を用いることができる。
【００３６】
又、本実施形態においては、前記標示体２が前記枠体４に対して固定されているものを例示したが、前記表示体２につき、前記光源３に向かって近づいたり後退したりする仕組みや、回転するような仕組みを付与しても良い。
【００３７】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【符号の説明】
【００３８】
１  本発明装置（ディスプレイ装置）
２  標示体
２１  基板
２２  メッシュシート
２３  裏当て板
２４  スペーサー
３  光源
３１  箱体
３２  支持板
３３  発光ダイオード
４  枠体
１０  重なり部分
【図１】
0003180875.tif 000003
【図２】
0003180875.tif 000004
【図３】
0003180875.tif 000005
【図４】
0003180875.tif 000006
【図５】
0003180875.tif 000007